(57)【要約】【課題】熱対策の複雑さを回避できる。【解決手段】ランプ１１から射出された光を平行光とする光学系１３と；上記平行光を所定角度で反射させる第１ミラー２１と；第１ミラー２１により反射された光を下方へ反射させる第２ミラー３１と；ズーム機構部３２とフォーカス機構部３３とを含む光学制御部３０と；光学制御部３０の光軸を軸として、光学系１３と第１ミラー２１と第２ミラー３１と光学制御部３０とを一体に水平回転する第１の回転駆動部と；第１ミラー２１により反射された光の光軸を軸として、第２ミラー３１と光学制御部３０とを一体に回転する第２の回転駆動部とを具備する。【選択図】図２
2007273442.tif 000002
【特許請求の範囲】
【請求項１】
光源及び光源から射出された光を平行光とする光学系と；
光学系より射出された光に基づく光照射を行う光学制御部と；
光路を変更する光路変更部と；
光学系の光軸を軸として又は光学制御部の光軸を軸として、光学制御部を回転する第１の回転駆動部と；
光路変更部を回転する第２の回転駆動部と；
を具備することを特徴とする遠隔制御照明器具。
【請求項２】
光学系の光源は、下方へ光が射出されるように遠隔制御照明器具の上端部側へ配設されていることを特徴とする請求項１記載の遠隔制御照明装置。
【請求項３】
光路変更部は、光学系を介して到来する平行光を所定角度で反射させる第１ミラーと、第１ミラーにより反射された光を下方へ反射させる第２ミラーとを含み、光学系により射出された平行光を光学制御部へ入射させることを特徴とする請求項１又は２に記載の遠隔制御照明器具。
【請求項４】
光路変更部は、光学系を及び光学制御部を介して到来する光を所定角度で反射させる第１ミラーと、第１ミラーにより反射された光を更に反射させる第２ミラーとを含むことを特徴とする請求項１又は２に記載の遠隔制御照明器具。
【請求項５】
第２ミラーによる反射角度を変更する角度変更機構が備えられていることを特徴とする請求項３または請求項４に記載の遠隔制御照明器具。
【請求項６】
請求項１乃至５のいずれか１項に記載の複数の遠隔制御照明器具と；
複数の遠隔制御照明器具における光変更部以降の構成を外部に備え、それ以外の構成を内部に備える筐体と；
を具備することを特徴とする照明システム。
【発明の詳細な説明】
【技術分野】
【０００１】
この発明は、劇場やスタジオなどの演出空間において用いられる遠隔制御照明器具及びそれを用いて構成した照明システムに関するものである。
【背景技術】
【０００２】
従来におけるこの種の遠隔制御照明器具は、例えば図６及び図７に示すように、水平回転装置１０３は、天井に直接取り付けられるか、または天井から吊り下げられたバトンと称される照明器具保持体に取り付けられている。水平回転装置１０３には垂直下方向に延びるアーム１０２が取り付けられており、アーム１０２の下端部が器具本体１０１の重心位置付近に取り付けられる。この遠隔制御照明器具にあっては、アーム１０２が水平回転装置１０３により矢印Ｈに示すように水平回転される。また、アーム１０２の下端部を軸に駆動するモータが設けられており、器具本体１０１は軸１０４を中心として矢印Ｒに示すように回転される。
【０００３】
しかしながら、上記の構成に係るヨーク型と称される遠隔制御照明器具にあっては、投影画質の高い光を射出するため、器具本体１０１内に設けられているズーム機構やフォーカス機構等の光制御部を高性能とすると、器具本体１０１の長さ（図６の横方向の長さ）が長くなり、この構成を採用した遠隔制御照明器具を複数並べて用いる場合には、器具本体１０１の長さ複数の器具本体１０１を長手方向に連ねた長さに、接触回避のためのマージン距離を加えた長さが必要となり、現実的に採用できるものではない。また、チルトが様々な角度となり、器具本体１０１の姿勢が変化するため熱対策が複雑となる問題がある。特に図７に示されるように光源部１０５が上端部に位置する状態となった場合には、光源部１０５から発せられる熱が水平回転装置１０３の底部に滞留するなどの心配があり、特別な熱対策が必要である。
【０００４】
上記に対し、ミラー式と称されるタイプの遠隔制御照明器具は、図８に示されるように、器具本体２０１が吊りアーム２０２により天井に直接取り付けられるか、または天井から吊り下げられたバトンに取り付けられている。器具本体２０１における窓部２０７の前方にミラー収納部２０５内に２０３を設けて光を反射させるように構成されている。ミラー２０３は垂直方向に延びる軸を中心としてモータによってＨにて示すように水平回転され、更に、ミラー収納部２０５に設けられた別のモータによって、ミラー２０３が軸２０６を中心として矢印Ｖに示すように回転される。この構成によれば、器具本体２０１の姿勢は変化がなく、図６と図７に示したヨーク型の遠隔制御照明器具に比べると熱対策の複雑さという点においては軽減される。しかしながら、投影画質の高い光を射出するため、器具本体２０１内に設けられているズーム機構やフォーカス機構等の光制御部を高性能とすると、器具本体２０１の長さ（図８の横方向の長さ）が長くなり、広い設置場所を確保する必要があるという問題点が残る。
【０００５】
上記のようなミラーを用いた遠隔制御照明器具は特許文献１に開示されている。この遠隔制御照明器具は、ミラーの角度を変化させて照射範囲を変更するものであるが、下向きに吊り下げて用いる場合には真下側を照射できないため照射範囲に制限を有する。また、投影画質の高い光を射出するためには、器具本体の長さが長くなり、水平に吊り下げた場合に広い設置場所を確保する必要がある。
【特許文献１】特開平７−２６２８０６号公報
【発明の開示】
【発明が解決しようとする課題】
【０００６】
本発明が解決しようとする課題は、ヨーク型のサーチライトでは熱対策が複雑となることであり、また、ミラー型のサーチライトでは照射範囲に制限が生じることである。本発明の目的は、熱対策の複雑さを回避することができ、また、光照射範囲の制限を減少させることである。
【課題を解決するための手段】
【０００７】
本発明に係る遠隔制御照明器具は、光源及び光源から射出された光を平行光とする光学系と；光学系より射出された光に基づく光照射を行う光学制御部と；光路を変更する光路変更部と；光学系の光軸を軸として又は光学制御部の光軸を軸として、光学制御部を回転する第１の回転駆動部と；光路変更部を回転する第２の回転駆動部とを具備することを特徴とする。ここに光学制御部は、光ビーム角度の調整を行うズーム機構及び焦点距離調整を行うフォーカス機構を含んで構成しても良い。また、光路変更部は、２枚のミラーを用いた反射による光路変更機構を許容する。更に、光学系には、各種の光演出機構を含むことができる。また、光源に対応して、発熱に対する放熱機構を付加させることが可能である。
【０００８】
本発明に係る遠隔制御照明器具は、光学系の光源は、下方へ光が射出されるように遠隔制御照明器具の上端部側へ配設されていることを特徴とする。
【０００９】
本発明に係る遠隔制御照明器具は、光路変更部は、光学系を介して到来する平行光を所定角度で反射させる第１ミラーと、第１ミラーにより反射された光を下方へ反射させる第２ミラーとを含み、光学系により射出された平行光を光学制御部へ入射させることを特徴とする。
【００１０】
本発明に係る遠隔制御照明器具は、光路変更部は、光学系を及び光学制御部を介して到来する光を所定角度で反射させる第１ミラーと、第１ミラーにより反射された光を更に反射させる第２ミラーとを含むことを特徴とする。
【００１１】
本発明に係る遠隔制御照明器具は、第２ミラーによる反射角度を変更する角度変更機構が備えられていることを特徴とする。
【００１２】
本発明に係る照明システムは、請求項１乃至５のいずれか１項に記載の複数の遠隔制御照明器具と；複数の遠隔制御照明器具における光変更部以降の構成を外部に備え、それ以外の構成を内部に備える筐体とを具備することを特徴とする。
【発明の効果】
【００１３】
請求項１の発明では、光源及び光源から射出された光を平行光とする光学系と、光学系より射出された光に基づく光照射を行う光学制御部と、光路を変更する光路変更部を備えて、第１の回転駆動部にて光学制御部を回転し、第２の回転駆動部により光路変更部を回転する構成を採用したので、光路変更部により光路が変更される上に、この光路が第２の回転駆動部により回転され、更に光学制御部が第１の回転駆動部により回転されるので、上記の２系統による回転と光路変更とが組合わさって光照射範囲を広くすることができる効果を奏する。
【００１４】
請求項２の発明では、光源が下方へ光が射出されるように遠隔制御照明器具の上端部側へ配設されているので、熱対策をすることが容易となる。
【００１５】
請求項３の発明では、２枚のミラーによる光路変更部が光学系と光学制御部の間に配置された構成となるので、光学系と光学制御部を分離でき、光学系に対する構成付加に拘らず光学制御部の長さに変更を要せず、光学制御部による回転範囲を広げる必要がない効果を奏する。
【００１６】
請求項４の発明では、光源から照射された光を下向きに導く光路に光学系と光学制御部とを連続させて設ける構成となるので、光学系に対する構成付加による大型化は縦方向の長さ変更で吸収でき、光路変更部の大型化を招くことなく、光路変更部の回転範囲を広げる必要がない効果を奏する。
【００１７】
請求項５の発明では、第２ミラーの角度変更が可能となり、光照射範囲、特に第２ミラーの角度を固定したときの照射不可能範囲を無くすことができる。
【００１８】
請求項６の発明では、筐体内に複数の遠隔制御照明器具における制御部や電源や放熱機構を共通化して設けることが可能となり、構成の共通化による部品点数の減少や構成の小型化更にコストダウンを図ることが可能である。
【発明を実施するための最良の形態】
【００１９】
本発明では、光源及び光源から射出された光を平行光とする光学系と、光学系より射出された光に基づく光照射を行う光学制御部と、光路を変更する光路変更部を備えて、第１の回転駆動部にて光学制御部を回転し、第２の回転駆動部により光路変更部を回転する構成により、光学系における光源を上端部側に固定して熱を上方へ逃がし易い構成として熱対策の複雑さを回避し、２系統による回転と光路変更とが組合わさって光照射範囲を広くするという目的を達成したものである。
【実施例１】
【００２０】
以下添付図面を参照して本発明に係る遠隔制御照明器具及び照明システムの実施例を説明する。各図において、同一の構成要素には同一の符号を付し重複する説明を省略する。図１は、本発明に係る遠隔制御照明器具の第１の実施例を示す構成図である。この遠隔制御照明器具は、各部材が基本的に縦方向に並べられて配置され、最頂部には光源部１０が設けられている。光源部１０には光源としてのランプ１１が設けられ、ランプ１１の上部には反射板１２が設けられて、ランプ１１からの照射光を下方へ射出させるように構成されている。ランプ１１には、放電灯の一種であるメタルハライドランプや、ハロゲンランプを用いることができる。
【００２１】
ランプ１１から下方に向かう光は、平行光を作成する組レンズにより構成される光学系１３を介して平行光とされて、光演出機構１４を介して更に下方へと射出される。光演出機構１４は、電動カッタやアイリスやゴボなどにより構成される。
【００２２】
光源部１０の下方には、第１ミラー２１を備える第１ミラー部２０が設けられている。第１ミラー２１は垂直方向に到来する光を所定角度（ここでは、４５度）で反射させるものである。光源部１０と第１ミラー部２０とは軸１５により結合されている。
【００２３】
第１ミラー部２０の第１ミラー２１の光軸上には第２ミラー３１が設けられており、第２ミラー３１は、第１ミラー２１により反射された光を下方へ反射させる。第２ミラー３１は、第１ミラー２１により反射された光の光軸に対し所定角度（ここでは、４５度）で配置されている。第１ミラー２１と第２ミラー３１とは、光路変更部を構成している。
【００２４】
第２ミラー３１は、光学制御部３０に設けられている。光学制御部３０には、ズーム機構部３２とフォーカス機構部３３とが含まれており、ズーム機構部３２により光ビーム角度が制御され、フォーカス機構部３３により焦点調整が行われる。フォーカス機構部３３とズーム機構部３２とにおいて、２点鎖線により記載されたレンズはフォーカス制御やズーム制御により移動された位置のレンズを示すものである。フォーカス機構部３３とズーム機構部３２とを通過した光は先端レンズ３４を介して光窓３５から外部へ射出される。第１ミラー部２０と光学制御部３０は軸２３により結合されている。この実施例及び後述する第２の実施例、第３の実施例においては、上記の説明の如く、フォーカス機構部３３とズーム機構部３２との順で光路上に並ぶものを示すが、これば一例に過ぎず、フォーカス機構部とズーム機構部の配置が逆のものなど、必要に応じて様々に変更されるものである。
【００２５】
軸１５は縦方向に延びており、軸１５はモータによる駆動を受けて回転する。即ち、光学系１３の光軸を軸として、第１ミラー２１と第２ミラー３１と光学制御部３０とを一体に矢印Ｈにて示す如く水平回転させる第１の回転駆動部としてのモータが、例えば光源部１０内に備えられている。
【００２６】
また、軸２３は横方向に延びており、軸２３はモータによる駆動を受けて回転する。即ち、第１ミラー２１により反射された光の光軸を軸として、第２ミラー３１と光学制御部３０とを一体に矢印Ｖにて示す如く回転させる第２の回転駆動部としてのモータが、例えば光学制御部３０内に設けられている。以上の矢印Ｈ及び矢印Ｖに示す如くの回転により光照射範囲の制限がほぼなくなり、広範囲を照射することができる。
【００２７】
光源部１０を構成する筐体の天板には放熱機構を設けることが可能である。放熱機構としては複数条のスリット更に放熱フィンを取り付けることにより、本実施例ではかなりの放熱効果が期待できるものであるが、所望の場合にはファンを設けることを妨げるものではない。光源部１０から上方向に延びるアーム４を取り付け、天井やバトン５などに当該遠隔制御照明器具を吊す場合に、上記天板の上の部分には空間となっており、ランプ１１により発せられた熱を適切に逃がすことができる。また、投影画質の高い光を射出するためには、光学系１３における構成を付加しても垂直方向にサイズを大きくすれば良く、光学制御部３０の長さに影響がないため、旋回範囲など横方向に広い設置場所の確保を不要とすることができる。
【００２８】
なお、第２ミラー３１は、第１ミラー２１により反射された光の光軸に対し４５度で配置されているものとしたが、４５度の固定配置では矢印Ｈの水平回転軸上を照射することができないため、第２ミラー３１の上記角度を変更するモータを設けて上記照射不能であった部分をなくす構成としても良い。なお、ここで説明したモータ、第１の回転駆動部と第２の回転駆動部とを構成するモータは遠隔からの制御信号により回転させられ、フォーカス機構部３３とズーム機構部３２についても遠隔からの制御信号により制御されるものである。そして、この制御を行う制御部を光源部１０におけるランプ１１の位置よりも低い位置に設けることが可能であり、光源部１０における天板より上の部分には、制御部やモータを配置する必要がなく、光源としてのランプ１１を上端部側に固定して設けて熱対策をすることが容易となる。
【実施例２】
【００２９】
図２に第２の実施例に係る遠隔制御照明器具の構成図を示す。この実施例においては、概ね鉢状の筐体の中央部に上下方向から溝部を形成した形状の本体部１と、この本体部１の下部溝部において横方向に延びる軸により軸支された光学制御部３０を基本的な構成としている。光学制御部３０は、上部側が筒状をなしており、下部側が概ね円錐台(または四角錐台)形状をなしている。光学制御部３０の上端部には、カウンターウエイト３７が設けられており、光学制御部３０のスムーズな回転が確保されている。カウンターウエイト３７の上部は、空間となっており、光学制御部３０が±９０度以上回転可能となっている。
【００３０】
本体部１の上部溝部にはパン機構４１が設けられ、パン機構４１には一点吊りバトン２６が結合されている。一点吊りバトン２６には、カゴ状のケーブル受ダクト２５が設けられ、電源用と信号用とのカールケーブル２７の余長部分を上記カゴ状のケーブル受ダクト２５に収納可能となっている。カールケーブル２７を介して電源供給がランプ１１やモータなどに対して行われると共に、遠隔から送られた制御信号はモータ制御部４０へ与えられる。
【００３１】
溝部により区分された本体部１の一方の室には、ランプ１１が設けられ、ランプ１１の上部には反射板１２が設けられ、ランプ１１からの照射光を下方へ射出させる構成となっている。ランプ１１から下方に向かう光は光学系１３を介して平行光とされて、光演出機構１４を介して更に下方へと射出される。本体部１の上記一方の室における下端部には、第１ミラー２１が設けられている。第１ミラー２１は垂直方向に到来する光を所定角度（ここでは、４５度）で反射させるように配置されている。
【００３２】
第１ミラー２１の光軸上であって光学制御部３０内には、第２ミラー３１が設けられており、第２ミラー３１は、第１ミラー２１により反射された光を下方へ反射させる。第２ミラー３１は、第１ミラー２１により反射された光の光軸に対し所定角度（ここでは、４５度）で配置されている。光学制御部３０には第２ミラー３１と共に、ズーム機構部３２とフォーカス機構部３３とが設けられている。第２ミラー３１により反射された光はフォーカス機構部３３とズーム機構部３２とを通過して、先端レンズ３４を介して光窓３５から外部へ射出される。ズーム機構部３２とフォーカス機構部３３との間の光路上には、カラーチェンジ機構３６が設けられている。前述の通り、ズーム機構部３２とフォーカス機構部３３の構成及び配置は一例に過ぎない。
【００３３】
溝部により区分された本体部１の他方の室には、モータ制御部４０が設けられると共に、パン駆動用モータ４２及びチルト駆動用モータ４４が設けられている。本体部１の上部溝部に設けられているパン機構４１は、パン駆動用モータ４２の回転により一点吊りバトン２６を軸として、本体部１に対して水平回転を与えるものである。本体部１の水平回転に伴って光学制御部３０も水平回転する。上記一点吊りバトン２６を軸とする回転は、光学制御部の光軸とする回転である。従って、パン駆動用モータ４２は、光学制御部３０の光軸を軸として、光学系１３と第１ミラー２１と第２ミラー２１と光学制御部３０とを一体に回転する第１の回転駆動部を構成している。
【００３４】
光学制御部３０は、本体部１の下部溝部において横方向に延びる軸により軸支されており、この軸がチルト機構４３に含まれている。このチルト機構４３は、チルト駆動用モータ４４の回転により、上記軸支に係る軸を中心として光学制御部３０が縦方向（下向きから上向きまで）回転される。このときの回転軸は、第１ミラー２１により反射された光の光軸と一致している。従って、チルト駆動用モータ４４は、第１ミラー２１により反射された光の光軸を軸として、第２ミラー３１と光学制御部３０とを一体に回転する第２の回転駆動部を構成している。以上のパン回転及びチルト回転により２ミラー３１の角度を変えることなく照射することができない場所(真下方向)をなくすことができ、広範囲を照射することができる。
【００３５】
反射板１２の上部における天板には放熱機構を設けることが可能である。放熱機構としては複数条のスリット更に放熱フィンを取り付けることが可能である。また、反射板１２を本体部１の外に配置したり、更に反射板に放熱フィンを設けたりすることが可能である。光源部１０から発せられる熱は、上記天板における上部分の矢印Ｗに示す方向に発散されるが、この発散方向には熱的なダメージを受ける構成は存在せず、ランプ１１により発せられた熱を適切に逃がすことができる。また、投影画質の高い光を射出するためには、光学系１３における構成を付加しても、垂直方向にサイズを大きくすれば良く、光学制御部３０の長さに影響がないため、旋回範囲など横方向に広い設置場所の確保を不要とすることができる。
【００３６】
なお、本実施例において、第１ミラー２１の配設箇所にランプ１１を配設してもよい。そして、この場合には、ズーム機構部３２とフォーカス機構部３３のみのように光学制御部３０内に配設可能である機構、機能部材のみを設けることもできる。このように構成することで、２枚のミラーでの反射を使用する場合に比較してランプ１１からの光量の減衰が抑制されるので、機能を特定した場合には高効率な遠隔制御照明器具とすることができる。
【実施例３】
【００３７】
図３に第３の実施例に係る遠隔制御照明器具の構成図を示す。この実施例においては、縦長筒状の本体部１Ａに、ランプ１１、反射板１２、光学系１３、光演出機構１４だけではなく、フォーカス機構部３３とズーム機構部３２を含む光学制御部３０を設けたものである。この構成では、ランプ１１からの光は下方に向かって光学系１３を介して平行光とされて、光演出機構１４を介して更に下方へと射出され、フォーカス機構部３３とズーム機構部３２とを通過して、先端レンズ３４を介して光窓３５から外部へ射出される。本体部１Ａの下方には、第１ミラー２１を備える第１ミラー部２０が設けられている。第１ミラー２１は垂直方向に到来する光を所定角度（ここでは、４５度）で反射させるものである。本体部１Ａと第１ミラー部２０とは軸１５により結合されている。
【００３８】
第１ミラー部２０の第１ミラー２１の光軸上には第２ミラー３１が設けられており、第２ミラー３１は第２ミラー部３に設けられていれる。第２ミラー３１は第１ミラー２１により反射された光を下方へ反射させるもので、照射範囲を考慮して、少なくとも第１ミラー２１より大きいサイズとされている。第２ミラー３１は、第１ミラー２１により反射された光の光軸に対し所定角度（ここでは、４５度）で配置されている。第１ミラー部２０と第２ミラー部３とは軸２３により結合されている。
【００３９】
軸１５は縦方向に延びており、軸１５はモータによる駆動を受けて回転する。即ち、光学系１３及び光学制御部３０の光軸を軸として、第１ミラー２１と第２ミラー３１とを一体に矢印Ｈにて示す如く水平回転させる第１の回転駆動部としてのモータが、例えば本体部１Ａ内に備えられている。
【００４０】
また、軸２３は横方向に延びており、軸２３はモータによる駆動を受けて回転する。即ち、第１ミラー２１により反射された光の光軸を軸として、第２ミラー３１を矢印Ｖにて示す如く回転させる第２の回転駆動部としてのモータが、例えば第２ミラー部３内に設けられている。以上の矢印Ｈ及び矢印Ｖに示す如くの回転により光照射範囲の制限がほぼなくなり、広範囲を照射することができる。
【００４１】
本体部１Ａを構成する筐体の天板には放熱機構を設けることが可能である。放熱機構としては複数条のスリット更にファンボックスを取り付けることが可能である。本体部１Ａから上方向に延びるアームを取り付け、天井やバトンなどに当該遠隔制御照明器具を吊す場合に、上記天板の上の部分には空間となっており、ランプ１１により発せられた熱を適切に逃がすことができる。また、投影画質の高い光を射出するためには、光学系１３における構成を付加しても垂直方向に本体部１Ａのサイズを大きくすれば良く、旋回範囲など横方向に広い設置場所の確保を不要とすることができる。
【実施例４】
【００４２】
次に、上記遠隔制御照明器具を用い構成した照明システムの実施例を説明する。図４に照明システムの実施例の構成図を示す。この照明システムは、図１に示した遠隔制御照明器具を複数（ここでは、４台）用いたものである。図１における遠隔制御照明器具の構成中から光源部１０に相当する構成を、横方向に細長い直方体形状の筐体５０内に配置する。この場合、ランプ１１や反射板１２や光学系１３や光演出機構１４を各遠隔制御照明器具毎に別途の筐体を設けて構成するのではなく、筐体５０の底面や天板から柱状または板状のフレームを立設して、立設されたフレーム間を横方向に結合する横バーを設け、上記フレームや横バーにてランプ１１や反射板１２や光学系１３や光演出機構１４を図示の如く支持する構成とする。
【００４３】
第１ミラー部２０と光学制御部３０とは、上記筐体５０を図１における光源部１０と見做した構成により結合する。各遠隔制御照明器具に供給するＤＣ電源の電源部、ケーブル、冷却ファンを共通化して筐体５０内に設ける。筐体５０の天板には、吊り下げケーブル５１、５１を取り付ける取付具５２、５２が結合されている。筐体５０は複数の遠隔制御照明器具共に吊り下げケーブル５１、５１により天井やバトンに吊られる。
【００４４】
上記の照明システムによれば、ＤＣ電源や漏光防止板金や冷却ファンなどの冷却機構を共通化できコストの低減を図ることができる。また、共通化した部分のスペースを少なくすることができ、省スペース化を実現することも可能である。
【実施例５】
【００４５】
次に、図３に示した遠隔制御照明器具を用いて構成した照明システムの第２の実施例を説明する。図５に照明システムの第２の実施例の構成図を示す。この照明システムは、図３に示した遠隔制御照明器具を複数（ここでは、４台）用いたものである。図３における遠隔制御照明器具の構成中から本体部１Ａに設けられていた構成を、横方向に細長い直方体形状の筐体６０内に配置する。この場合、各構成部材を各遠隔制御照明器具毎に別途の筐体を設けて構成するのではなく、筐体６０の底面や天板から柱状または板状のフレームを立設して、立設されたフレーム間を横方向に結合する横バーを設け、上記フレームや横バーにて各構成部材を支持する構成とする。
【００４６】
第１ミラー部２０と第２ミラー部３とは、上記筐体６０を図３における本体部１Ａと見做した構成により結合する。各遠隔制御照明器具に供給するＤＣ電源の電源部、ケーブル、冷却ファンを共通化して筐体６０内に設ける。筐体６０の天板には、吊り下げケーブル６１、６１を取り付ける取付具６２、６２が結合されている。筐体６０は複数の遠隔制御照明器具共に吊り下げケーブル６１、６１により天井やバトンに吊られる。この照明システムの構成によっても、図４に示した照明システムと同様の効果を得ることができる。
【００４７】
なお、図４、図５に示した照明システムでは、一列に複数の遠隔制御照明器具を配置する例を示したが、１つの筐体に複数列に或いは必ずしも列をなさず平面における所要位置に複数の遠隔制御照明器具を配置するようにしても良い。また、筐体の底面に凹凸を設けて、凹部と凸部に必要に応じた遠隔制御照明器具を配置しても良い。また、図１と図３の遠隔制御照明器具を混在させて配置しても良い。
【図面の簡単な説明】
【００４８】
【図１】本発明に係る遠隔制御照明器具における第１の実施例の構成を示す図。
【図２】本発明に係る遠隔制御照明器具における第２の実施例の構成を示す図。
【図３】本発明に係る遠隔制御照明器具における第３の実施例の構成を示す図。
【図４】本発明に係る照明システムにおける第１の実施例の構成を示す図。
【図５】本発明に係る照明システムにおける第２の実施例の構成を示す図。
【図６】従来例に係る遠隔制御照明器具における構成を示す図。
【図７】従来例に係る遠隔制御照明器具における構成を示す図。
【図８】従来例に係る遠隔制御照明器具における構成を示す図。
【符号の説明】
【００４９】
１、１Ａ  本体部
３  第２のミラー部
１０  光源部
１１  ランプ
１２  反射板
１３  光学系
１４  光演出機構
１５、２３  軸
２０  第１ミラー部
２１  第１ミラー
２５  ケーブル受ダクト
２６  一点吊りバトン
２７  カールケーブル
３０  光学制御部
３１  第２ミラー
３２  ズーム機構部
３３  フォーカス機構
３４  先端レンズ
３５  光窓
３６  カラーチェンジ機構
４０  モータ制御部
４１  パン機構
４２  パン駆動用モータ
４３  チルト機構
４４  チルト駆動用モータ
５０、６０  筐体
５１、６１  吊り下げケーブル
５２、６２  取付具
【図１】
2007273442.tif 000003
【図２】
2007273442.tif 000004
【図３】
2007273442.tif 000005
【図４】
2007273442.tif 000006
【図５】
2007273442.tif 000007
【図６】
2007273442.tif 000008
【図７】
2007273442.tif 000009
【図８】
2007273442.tif 000010